(57)【要約】【課題】冷却対象に対する効率のよい冷却状態を可能とし、冷却効果の持続時間を延長させることができる冷却パックを提供すること。【解決手段】二種以上の物質を混合して生じる吸熱作用によって冷却するように、冷却剤が、シート状部材によって形成された外袋の内部に収納された冷却パックであって、前記冷却剤を収納する前記外袋が、断熱性が高い断熱層を備えていると共に、冷却対象に接する少なくとも一方の面の一部分が前記断熱層を備えないで冷却がされ易い冷却促進面部になっている。【選択図】図１
2012254186.tif 000002
【特許請求の範囲】
【請求項１】
二種以上の物質を混合して生じる吸熱作用によって冷却するように、冷却剤が、シート状部材によって形成された外袋の内部に収納された冷却パックであって、前記冷却剤を収納する前記外袋が、断熱性が高い断熱層を備えていると共に、冷却対象に接する少なくとも一方の面の一部分が前記断熱層を備えないで冷却がされ易い冷却促進面部になっていることを特徴とする冷却パック。
【請求項２】
前記外袋が、発泡性の前記断熱層を一体的に備える樹脂シートからなる前記シート状部材によって形成されていることを特徴とする請求項１記載の冷却パック。
【請求項３】
前記冷却促進面部が、前記発泡性の断熱層が加熱されて圧縮されることで潰され、該発泡性の断熱層を無くした前記樹脂シートの一部分であることを特徴とする請求項２記載の冷却パック。
【発明の詳細な説明】
【技術分野】
【０００１】
この発明は、二種以上の物質を混合することで生じる吸熱作用によって冷却するように、冷却剤が用いられている冷却パックに関する。
【背景技術】
【０００２】
従来の冷却パックは、プラスチックシートなどの樹脂部材からなる外袋の内部に、冷却剤と、水を内蔵する水袋とを密閉状態に封入し、冷却効果を必要とする際にはその冷却パックを強く叩くことなどによって、外袋を介して水袋を破壊させて、冷却剤と水とが混合される際の吸熱作用によって冷却効果を得られるものである。冷却剤は水と反応して液体状になるとともに、吸熱反応の作用によって冷却パック（液体）の温度が−６℃程度まで下がる。
【０００３】
これに対して、水に代替させて結晶水を利用するタイプの冷却剤が既に提案されている（特許文献１参照）。この冷却剤は、無機アンモニウム塩に、結晶水を保有する塩として水酸化ストロンチウム８水和物を混合することを特徴とするものである。また、結晶水を保有する塩が、水酸化ストロンチウム８水和物にメタ珪酸ナトリウム９水和物を併用したものであることを特徴とすることができる。さらに、無機アンモニウム塩が、硝酸アンモニウム、塩化アンモニウム、臭化アンモニウムから選ばれる１種または２種以上であることを特徴とすることができる。
【０００４】
また、冷却剤を透水性のある内袋（冷却剤袋）に入れて外袋に収納した冷却パックが提案されている。この冷却パックは、水袋と、水と吸熱反応する２種以上の冷却剤とが一つの外袋に密封して収納され、水袋を破ることによって水と冷却剤とが吸熱反応して冷却作用が起きるように形成された冷却パックにおいて、前記冷却剤が、冷却剤ごとに隔離した状態で、透水性を備えた冷却剤袋に収容されて、前記外袋に収納されていることを特徴とする（特許文献２参照）。これによれば、外気温によって冷却剤が融解して塊状に固まるといった問題を解消し、取り扱いやすくなるという効果がある。
【先行技術文献】
【特許文献】
【０００５】
【特許文献１】特開平０６−６５５６４（第１頁）
【特許文献２】特開２００５−６６８７（第１頁）
【発明の概要】
【発明が解決しようとする課題】
【０００６】
冷却パックに関して解決しようとする問題点は、従来の冷却パックでは冷却状態を効率よく維持させて冷却効果の持続時間を延長させるための提案がなされていないことにある。
そこで本発明の目的は、冷却対象に対する効率のよい冷却状態を可能とし、冷却効果の持続時間を延長させることができる冷却パックを提供することにある。
【課題を解決するための手段】
【０００７】
本発明は、上記目的を達成するために次の構成を備える。
本発明に係る冷却パックの一形態によれば、二種以上の物質を混合して生じる吸熱作用によって冷却するように、冷却剤が、シート状部材によって形成された外袋の内部に収納された冷却パックであって、前記冷却剤を収納する前記外袋が、断熱性が高い断熱層を備えていると共に、冷却対象に接する少なくとも一方の面の一部分が前記断熱層を備えないで冷却がされ易い冷却促進面部になっている。
【０００８】
また、本発明に係る冷却パックの一形態によれば、前記外袋が、発泡性の前記断熱層を一体的に備える樹脂シートからなる前記シート状部材によって形成されていることを特徴とすることができる。
【０００９】
また、本発明に係る冷却パックの一形態によれば、前記冷却促進面部が、前記発泡性の断熱層が加熱されて圧縮されることで潰され、該発泡性の断熱層を無くした前記樹脂シートの一部分であることを特徴とすることができる。
【発明の効果】
【００１０】
本発明に係る冷却パックによれば、冷却対象に対する効率のよい冷却状態を可能とし、冷却効果のある時間を延長させることができるという特別有利な効果を奏する。
【図面の簡単な説明】
【００１１】
【図１】本発明に係る冷却パックの形態例を示す断面図である。
【図２】図１の形態例の斜視図である。
【図３】本発明に係る冷却パックの他の形態例を示す斜視図である。
【発明を実施するための形態】
【００１２】
以下に、本発明に係る冷却パックの形態例を添付図面（図１及び図２）に基づいて詳細に説明する。
この冷却パックは、二種以上の物質を混合して生じる吸熱作用によって冷却するように、冷却剤１０が、シート状部材によって形成された外袋２０の内部に収納されたものである。
【００１３】
冷却剤１０を収納する外袋２０が、断熱性が高い断熱層２１を備えていると共に、冷却対象に接する少なくとも一方の面の一部分が断熱層２１を備えないで冷却がされ易い冷却促進面部２２になっている。
これによれば、被冷却部を冷却促進面部２２によって適切に冷却できると共に、断熱層２１によって外部への無駄な放熱を防止でき、冷却対象に対する効率のよい冷却状態を可能とし、冷却効果の持続時間を延長させることができる。なお、冷却対象としては、人体、生ものなどの腐敗防止が必要な被冷却物がある。
【００１４】
また、全体的に断熱層２１で覆われている面は、冷却対象を緩やかに冷却できる冷却面として利用できる。冷却促進面部２２を有する面は、冷却対象をより急速に冷却できる冷却面として利用できる。つまり、冷却パックの表裏の両面で冷却対象に対する温度勾配の異なる冷却を行うことができる。また、冷却促進面部２２を除いて広く断熱層２１で覆われているため、結露の発生が少ないという利点もある。
【００１５】
この効果は、冷却剤１０が、無機アンモニウム塩１１と、結晶水を保有する塩として水酸化ストロンチウム８水和物１２とによって構成される冷却パックにおいて顕著である。
これは、無機アンモニウム塩に、結晶水を保有する塩として水酸化ストロンチウム８水和物を混合することで生じる冷却効果は、従来の水袋を備えるものと比較して圧倒的に優れており、−２０℃程度まで冷却することができ、外袋２０に断熱層２１がない場合は冷却対象を過度に冷却することになるためである。なお、外袋２０の全体が断熱層２１を備えた場合は、冷却速度が遅くなり過ぎることになり易い。これに対して本形態例によれば、両面を使い分けることで、冷却対象に係る冷却程度の必要に応じて、効率よく適度な速度で冷却をすることが可能になる。
【００１６】
ところで、冷却剤が、無機アンモニウム塩１１と、結晶水を保有する塩として水酸化ストロンチウム８水和物１２とによって構成される冷却パックでは、水酸化ストロンチウム８水和物１２が内袋（内部収納袋１３）に水密状態で収納されている。冷却効果を必要とする際に、その水酸化ストロンチウム８水和物１２の内部収納袋１３を破壊して、無機アンモニウム塩１１と混合させる状態とすることで、吸熱反応によって冷却効果を得ることができる。なお、内部収納袋１３を破壊するには、折ること、捩じること、強く叩くことなど、強い衝撃を与えればよい。
【００１７】
冷却促進面部２２の形態は、図１及び図２の形態例のような帯状に限定されるものでなく、例えば、円形（図３参照）やスリット形などの複数の露出部によって構成されていてもよい。
また、冷却パックの一方の面のみでなく、両面に冷却促進面部２２を設けてもよい。その場合、その露出面積を適宜選択的に設定するなど、冷却パックの両面で形態を変えて冷却促進面部２２を設けてもよい。さらに、用途に応じて、一方の面については全面的に冷却促進面部２２としてもよい。
【００１８】
また、本形態例では、外袋２０が、発泡性の断熱層２１を一体的に備える樹脂シートからなるシート状部材によって形成されている。この樹脂シートによれば、発泡性の断熱層２１が設けられた面側を外袋２０の外面側とし、平滑な面が外袋２０の内面側となるようにするとよい。
【００１９】
また、本形態例では、冷却促進面部２２が、発泡性の断熱層２１が加熱されて圧縮されることで潰され、その発泡性の断熱層２１を無くした樹脂シートの一部分であることを特徴とすることができる。
これによれば、複数の材料部材を使用することなく、所望の形態の外袋２０を容易に製造でき、製造コストを低減できる。
【００２０】
つまり、この樹脂シートによる外袋２０は、同サイズの二枚の樹脂シートを重ねて熱溶着によって容易に製造できる。また、冷却剤１０を入れた後も、熱溶着によって容易に密封できる。２５は熱溶着部であり、外袋２０の外周部に設けられている。
これによれば、一種の樹脂シートを使って外袋２０を形成できる。したがって、冷却剤を密閉して収納するための透水性のない防水層のシートに、別の断熱層のシートを貼り合わせるような構造の袋体に比較して、製造コストを低減できる。
【００２１】
また、３０は粘着剤層であり、冷却対称又は冷却パックを保持するホルダーに貼り付けることができるように、冷却パックの一面に設けられている。本形態例では、冷却促進面部２２が形成された一方の面に設けられている。なお、４０は剥離紙であり、粘着剤層３０を保護するように設けられている。
これによれば、使い勝手がよくなり、用途を広めることができる。
さらに、粘着剤層をゲル状の材料とすることができる。このゲル状の粘着剤層によれば、以上に説明してきたような断熱層として有効に機能させることができる。このゲル状の粘着剤層についても冷却パックの冷却対象に接する少なくとも一方の面の一部分について設け、断熱層とすることができる。
【００２２】
また、この発明は、水袋と、水と吸熱反応する２種以上の冷却剤とが一つの外袋に密封して収納され、水袋を破ることによって水と冷却剤とが吸熱反応して冷却作用が起きるように形成された冷却パックにおいても適用できるのは勿論であり、上記と同等の効果を得ることができる。
【００２３】
さらに、この発明は、水袋を使用するタイプで、冷却剤ごとに隔離した状態で、透水性を備えた冷却剤袋（内袋）に収容されて、外袋に収納されている冷却パックにおいても適用できるのは勿論である。この構成の場合は、冷却剤を透水性のある内袋に入れることで水と急激に混合されてないことから冷却速度を遅延させる効果はあり、冷却効果の持続時間をより延長できる。
【００２４】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２５】
１０  冷却剤
１１  無機アンモニウム塩
１２  水酸化ストロンチウム８水和物
１３  内部収納袋
２０  外袋
２１  断熱層
２２  冷却促進面部
３０  粘着剤層
４０  剥離紙
【図１】
2012254186.tif 000003
【図２】
2012254186.tif 000004
【図３】
2012254186.tif 000005